(57)【要約】【課題】ミスト運転開始時に加熱殺菌を自動的に行なうと共に、残水の排水操作が不要な排水レス仕様とすること。【解決手段】浴室１３内にミストサウナ用の水を噴霧するミストノズル１０を備えると共に、ミスト運転開始時にミスト用熱交換器１１からの温水戻り温度を監視し、この監視結果に基づき、温水戻り温度が所定温度以上であることを所定時間以上継続したことを判定した後にミスト噴霧を開始するように温水戻り温度監視制御を実行する温水戻り温度監視部を備えたミスト噴霧装置３である。【選択図】図１
2008110021.tif 000002
【特許請求の範囲】
【請求項１】
浴室内にミストサウナ用の水を噴霧するミストノズルと、ミストノズルに水を供給するミスト用給水管路と、ミスト用給水管路に配置されてミストノズルへの水の供給を行なう給水手段と、ミストノズルに供給される水を熱源機からの温水により加熱するミスト用熱交換器とを備えたミスト噴霧装置であって、ミスト運転開始時に前記ミスト用熱交換器からの温水戻り温度を監視し、この監視結果に基づき、温水戻り温度が所定温度以上であることを所定時間以上継続したことを判定した後にミスト噴霧を開始するように温水戻り温度監視制御を実行する温水戻り温度監視部を備えることを特徴とするミスト噴霧装置。
【請求項２】
浴室内に温風を供給する暖房機本体が付設され、暖房機本体は、循環ファンと、循環ファンからの風を加熱する暖房用熱交換器と、暖房用熱交換器を加熱するための温水を供給する熱源機と、熱源機からの温水を前記ミスト用熱交換器に循環させるためのミスト加熱用温水管路とを備え、前記ミスト用熱交換器から戻される循環温水の温度を前記温水戻り温度監視部にて監視することを特徴とする請求項１に記載のミスト噴霧装置。
【請求項３】
前記温水戻り温度監視部は、温水戻り温度が少なくとも７０℃以上を少なくとも３０秒以上継続したことを判定した後にミスト噴霧を開始することを特徴とする請求項１又は２に記載のミスト噴霧装置。
【請求項４】
前記ミストノズルの入り口側に逆止弁を配置したことを特徴とする請求項１乃至３のいずれかに記載のミスト噴霧装置。
【請求項５】
前記温水戻り温度監視部は、ミスト運転停止状態が第２所定時間以上継続した場合のみミスト運転開始時に温水戻り温度監視制御を実行し、ミスト運転停止状態が第２所定時間未満の場合はミスト運転開始時に温水戻り温度監視制御を実行せずにミスト噴霧を開始可能とすることを特徴とする請求項１乃至４のいずれかに記載のミスト噴霧装置。
【請求項６】
前記第２所定時間が２４時間であることを特徴とする請求項５に記載のミスト噴霧装置。
【発明の詳細な説明】
【技術分野】
【０００１】
本発明は、ミスト噴霧装置に関し、詳しくはミスト用給水管路内に滞留した残水中の雑菌の殺菌機能を有するミスト噴霧装置に関するものである。
【背景技術】
【０００２】
従来、浴室内にミストサウナ用の水を噴霧するミストノズルと、ミストノズルに水を供給するミスト用給水管路と、ミスト用給水管路に配置されてミストノズルへの水の供給を行なう給水手段と、ミストノズルに供給される水を熱源機からの温水により加熱するミスト用熱交換器とを備えたミスト噴霧装置が知られている。
【０００３】
ところで、ミスト噴霧装置は長期間使用しない場合に、ミスト用給水管路内の残水中にレジオネラ菌などの雑菌が繁殖して、ミスト運転開始時にミストノズルから浴室内に噴出され、不衛生となる虞がある。
【０００４】
そこで従来から、ミスト用熱交換器とミストノズルとの間にノズル開閉弁を備え、ノズル開閉弁より上流側に排水管路を分岐させて排水弁を開閉させることで、ミスト噴霧装置を長期間使用しない場合であっても、ミスト運転開始時にミスト用給水管路内の残水がミストノズルから浴室内に噴出されるのを防止できるようにしたミスト噴霧装置が知られている（例えば特許文献１参照）。
【０００５】
ところが前記特許文献１に記載の技術では、ミスト運転開始時にミスト用給水管路内の残水（ミストサウナ使用後の一度加熱されたミスト用熱交換器内の残水）がミストノズルから浴室内に噴出されないように排水管路から排水しているので、このため、ミスト噴霧装置内部の配管を行う上で設計上の制約となり、またミスト噴霧装置を浴室に設置する際に残水を排出するための配管が別途必要がとなり、さらに残水の排出は水の廃棄を伴うために省資源でないという問題があった。
【特許文献１】特開２００５−２４１２２４号公報
【発明の開示】
【発明が解決しようとする課題】
【０００６】
本発明は前記の従来の問題点に鑑みて発明したものであって、ミスト運転開始時に加熱殺菌を自動的に行なうことができると共に、従来のような残水の排水操作が不要な排水レス仕様となり、ミスト噴霧装置を浴室に設置する際の設計上の制約がなくなり、しかも水の廃棄を伴うことがなく省資源に寄与できるミスト噴霧装置を提供することを課題とするものである。
【課題を解決するための手段】
【０００７】
前記課題を解決するために本発明は、浴室１３内にミストサウナ用の水を噴霧するミストノズル１０と、ミストノズル１０に水を供給するミスト用給水管路２０と、ミスト用給水管路２０に配置されてミストノズル１０への水の供給を行なう給水手段と、ミストノズル１０に供給される水を熱源機１４からの温水により加熱するミスト用熱交換器１１とを備えたミスト噴霧装置であって、ミスト運転開始時に前記ミスト用熱交換器１１からの温水戻り温度を監視し、この監視結果に基づき、温水戻り温度が所定温度以上であることを所定時間以上継続したことを判定した後にミスト噴霧を開始するように温水戻り温度監視制御を実行する温水戻り温度監視部６を備えることを特徴としている。
【０００８】
このような構成とすることで、ミスト噴霧を開始する前にミスト用熱交換器１１を所定温度以上を所定時間以上継続して加熱できるので、もしも、ミスト用熱交換器１１内にレジオネラ菌などの雑菌が繁殖していたとしても、その雑菌を死滅させることが可能となる。これによりミスト運転開始時に加熱殺菌が自動的に行なわれると共に、従来のような残水の排水操作が不要な排水レス仕様となる。
【０００９】
また、浴室１３内に温風を供給する暖房機本体２が付設され、暖房機本体２は、循環ファン５と、循環ファン５からの風を加熱する暖房用熱交換器７と、暖房用熱交換器７を加熱するための温水を供給する熱源機１４と、熱源機１４からの温水を前記ミスト用熱交換器１１に循環させるためのミスト加熱用温水管路１９とを備え、前記ミスト用熱交換器１１から戻される循環温水の温度を前記温水戻り温度監視部６にて監視するのが好ましく、この場合、暖房機能を備えたミスト噴霧装置３において、ミスト用熱交換器１１を循環する温水戻り温度を監視することで加熱殺菌効果が得られるようになる。
【００１０】
また、前記温水戻り温度監視部６は、温水戻り温度が少なくとも７０℃以上を少なくとも３０秒以上継続したことを判定した後にミスト噴霧を開始するのが好ましく、この場合、水中に７０℃で５秒間さらすと死滅するレジオネラ菌を確実に死滅させることができ、殺菌効果がより確実となる。
【００１１】
また、前記ミストノズル１０の入り口側に逆止弁２４を配置するのが好ましく、この場合、ミストノズル１０の内部への雑菌の侵入を逆止弁２４によって未然に防止できるようになる。
【００１２】
また、前記温水戻り温度監視部６は、ミスト運転停止状態が第２所定時間以上継続した場合のみミスト運転開始時に温水戻り温度監視制御を実行し、ミスト運転停止状態が第２所定時間未満の場合はミスト運転開始時に温水戻り温度監視制御を実行せずにミスト噴霧を開始可能とするのが好ましく、また、前記第２所定時間は２４時間であるのが好ましく、この場合、ミスト運転停止状態が第２所定時間（２４時間）未満の場合は雑菌が有害な量まで繁殖しないことから、温水戻り温度監視制御を実効せずに、速やかなミスト噴霧ができるようになる。
【発明の効果】
【００１３】
本発明は、温水戻り温度監視制御の実行によりミスト噴霧を開始する前にミスト用熱交換器を所定温度以上、所定時間以上継続して加熱できるので、もしも、ミスト用熱交換器１１内にレジオネラ菌などの雑菌が繁殖していたとしても、その雑菌を死滅させることが可能となり、ミスト運転開始時に加熱殺菌が自動的に行なわれると共に、従来のような残水の排水操作が不要な排水レス仕様となる。従って、ミスト噴霧装置内部の配管を行う上で設計上の制約がなくなり、またミスト噴霧装置を浴室に設置する際に残水を排出するための配管が不要となり、さらに水の廃棄を伴わないので省資源化を図ることができるものである。
【発明を実施するための最良の形態】
【００１４】
以下、本発明を添付図面に示す実施形態に基いて説明する。
【００１５】
図１は本発明の一実施形態に用いるミストサウナ機能付き浴室暖房乾燥機１の配管図であり、図２はその側面断面図である。
【００１６】
ミストサウナ機能付き浴室暖房乾燥機１は、図４に示すように、浴室１３の天井部に設置され、浴室１３内に温風を供給する暖房機本体２と、浴室１３内にミスト噴霧を行なうミスト噴霧装置３とで構成されている。なお図４中の１５は浴室１３外に設置されるリモコン操作部であり、ミスト運転スイッチ、暖房運転スイッチ、換気運転スイッチ、乾燥運転スイッチ、涼風運転スイッチ等が設けられている。
【００１７】
前記暖房機本体２は、図１、図２に示すように、循環ファン５と、循環ファン５により通風される空気を熱源機１４（図４）から供給される温水により加熱する暖房用熱交換器７と、暖房用熱交換器７への温水の供給量を調節する熱動弁８とを備えている。暖房用熱交換器７は、熱源機１４からの温水が循環する暖房用温水管路１６の途中に配置され、熱動弁８を開放することで、循環ファン５からの風が暖房用熱交換器７により加熱されて、下方の温風吹き出し口３０から浴室１３内に供給されるようになっている。さらに暖房用温水管路１６の途中には、後述のミスト用熱交換器１１を加熱するためのミスト加熱用温水管路１９がバイパス接続されている。ミスト加熱用温水管路１９の上流端は暖房用温水管路１６の熱動弁８よりも上流位置に分岐接続され、ミスト加熱用温水管路１９の下流端は暖房用温水管路１６の暖房用熱交換器７よりも下流位置に合流している。図１中の９は浴室温度センサー、１７は温水往き温度センサー、２６は換気ファンであり、図２中の２７は空気吸込み口３３に設けられるグリル板、２８は温風吹き出し口３０に設けられる可動ルーバー、３４は排気エルボである。
【００１８】
前記暖房機本体２の機器ケーシング２５の上部にはミストボックス３２が載設されている。ミストボックス３２内には、ミスト用給水管路２０の一部が配管されており、ミスト用給水管路２０の途中には後述のミスト用熱交換器１１が配置されている。ミスト用熱交換器１１よりも上流側は、給水電磁弁２２及びストレーナ２３を介して、外部の水道管に接続されている。ミスト用給水管路２０の下流側の部分は暖房機本体２の機器ケーシング２５内に配管されていると共に、機器ケーシング２５内に設置される第１及び第２ノズル開閉弁２９ａ，２９ｂを介して、ミストサウナ用の水を噴霧するミストノズル１０に接続されている。このようにミストボックス３２から機器ケーシング２５にまたがって配管されるミスト用給水管路２０と、ミストボックス３２内のミスト用熱交換器１１及び給水電磁弁２２と、機器ケーシング２５内のノズル開閉弁２９ａ，２９ｂ及びミストノズル１０とで、ミスト噴霧装置３が構成されている。
【００１９】
また、前記ミストボックス３２内には、前記暖房用温水管路１６から分岐されたミスト加熱用温水管路１９の一部が配管されていると共に、ミスト加熱用温水管路１９からミスト用熱交換器１１に供給される水温が適切になったときに温水の出湯量の調節を行う水比例弁１２と、ミスト用熱交換器１１からの循環温水の戻り温度を検知するための温水戻り温度センサー２１とが設置されている。さらにミスト用熱交換器１１から吐出する水の温度を検知するためのミスト温度センサー１８が設置されている。
【００２０】
ここで、ミストボックス３２に設置されるミスト用熱交換器１１は、例えば複数枚の伝熱プレートを積層したプレート式の液−液熱交換器で構成されている。ミスト用熱交換器１１の一次側には前記暖房用温水管路１６にバイパス接続されたミスト加熱用温水管路１９が接続され、二次側にはミスト用給水管路２０が接続され、ミスト加熱用温水管路１９に配置した水比例弁１２を開くことで、ミスト用熱交換器１１の一次側に温水が供給され、これにより二次側を通過するミストサウナ用の水が加熱されるようになっている。
【００２１】
また、機器ケーシング２５に設置されるミストノズル１０は、機器ケーシング２５のグリル板２５ａに設けた開口部２５ｃに嵌め込まれる前パネル２５ｂのノズル用開口孔４０から浴室１３内に臨んで配置されている。本例ではミストノズル１０は３個設けられ、例えば、ノズル開閉弁２９ａ側の１個のミストノズル１０ａは、マイルドなミストサウナ（ミスト噴霧量が例えば０．５リットル／ｍｉｎ）を得るためのものであり、ノズル開閉弁２９ｂ側の２個のミストノズル１０ｂ，１０ｃはハードなミストサウナ（ミスト噴霧量が例えば１．０リットル／ｍｉｎ）を得るためのものである。
【００２２】
浴室１３内は制御部４により所定温度に制御される。制御部４は、図５に示すように、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて暖房機本体２及びミスト噴霧装置３の各構成部品を駆動制御するマイクロコンピュータにより構成される。
【００２３】
ここで、本発明においては、図５に示すように、制御部４内にミスト運転開始時に温水戻り温度監視制御を実行する温水戻り温度監視部６を備えている。温水戻り温度監視制御システムは、ミスト用熱交換器１１からの温水戻り温度を図１に示すサーミスタ等からなる温水戻り温度センサー２１で監視すると共に、この監視結果に基づき、温水戻り温度が所定温度以上であることを所定時間以上継続したことを判定した後にミスト噴霧を開始するための加熱殺菌シーケンスを具備している。ここにおいて所定温度は例えば７０℃、所定時間は例えば３０秒とされるが、勿論この数値に限定されるものではなく、適宜設定変更自在である。
【００２４】
次に、温水戻り温度監視部６の動作を説明する。リモコン操作部１５のミスト運転スイッチを押すと制御部４にミストサウナ運転開始を指令する信号が送られる。このとき、ミスト運転停止状態が第２所定時間（例えば２４時間）未満であればただちにミスト噴霧を開始可能とする。一方、ミスト運転停止状態が第２所定時間（例えば２４時間）以上の場合は、以下の加熱殺菌シーケンスを実行する。
【００２５】
先ず、温水供給用の熱源機１４（図４）に運転信号を出し、熱源機１４が暖房運転を開始する。次いで、図１に示す温風側の熱動弁８、ミスト側の水比例弁１２がそれぞれ開き、８０℃の循環温水が暖房用温水管路１６内及びミスト加熱用温水管路１９内を循環し始める。次いで、温水往き温度が６０℃以上になると、循環ファン５がＯＮとなり、浴室１３に温風を送る。一方、温水戻り温度監視制御により、ミスト用熱交換器１１を循環する温水戻り温度が温水戻り温度センサー２１で監視されており、温水戻り温度が７０℃以上になるとタイマー計時を行ない、３０秒以上経過すると、ミスト用熱交換器１１の加熱を終了する。これにより、以下の表１に基づき、ミスト用熱交換器１１を７０℃以上で５秒間以上に加熱したことが保証される。その後、浴室温度が２５℃以上になると給水手段を構成する給水電磁弁２２を開くと共にノズル開閉弁２９ａ，２９ｂの両方又は一方を開いて、ミスト噴霧を開始する。ただし前記の温水戻り温度監視制御において「７０℃以上で且つ３０秒以上経過」であるとの判定が終了しない限り、ミスト噴霧は開始されない。
【００２６】
以下の表１は、温水戻り温度が７０℃に達したときから５秒〜６０秒後の各部の温度データを示したものである。試験条件として給水温度を１７℃、水圧を０．２ＭＰａ、外気温を２０℃とした。
【００２７】
【表１】
2008110021.tif 000003
【００２８】
上記の表1によれば、ミスト用熱交換器１１からの温水戻り温度が、７０℃に到達して後、３０秒以上経過した場合に、ミスト用熱交換器１１の内面温度が７２．０℃以上で３０秒間に加熱されたこととなり、レジオネラ菌が死滅することが考えられる。
【００２９】
しかして、ミスト噴霧装置３を長期間使用せずに、ミスト用熱交換器１１内の残水にレジオネラ菌などの雑菌が繁殖している場合であっても、ミスト運転開始時に温水戻り温度を例えば７０℃を５秒間以上にする加熱殺菌シーケンスが自動的に実行されるので、水中に７０℃で５秒間曝すと死滅するレジオネラ菌の殺菌効果が得られ、その後にミスト噴霧が開始されるので、ミスト運転開始時に殺菌を自動的に行なうことができると共に、従来のような残水の排水操作が不要な排水レス仕様となる。これにより、ミスト噴霧装置３を浴室１３に設置する際に、予備排水のための排水配管を行なう必要がなくなり、ミスト噴霧装置３の設計上の制約がなくなると共に、予備排水による無駄な水の廃棄をなくすことができ、省資源にも寄与するものである。
【００３０】
また本例では、浴室１３内に温風を供給する浴室暖房機本体２に、浴室１３内にミストサウナ用の温水をミスト状に噴霧するミスト噴霧装置３を付設したものにおいて、暖房用の熱源機１４からの温水をミスト用熱交換器１１に循環させると共に、ミスト用熱交換器１１からの温水戻り温度を監視するようにしたので、このミストサウナ機能付き浴室暖房乾燥機１においても、ミスト運転開始時に加熱殺菌効果が得られるようになる。
【００３１】
また本例では、ミストノズル１０（１０ａ〜１０ｃ）のそれぞれの入り口側に逆止弁２４を配置しているので、ミストノズル１０の内部への雑菌の侵入を防止できるようになる。
【００３２】
さらに本例では、加熱殺菌シーケンスの実行は、ミスト運転停止状態が第２所定時間である２４時間以上継続した場合のみとされ、２４時間未満の場合はレジオネラ菌が有害な量まで繁殖しないことから、温水戻り温度監視制御は実効されないため、速やかなミスト噴霧が可能となる。なお第２所定時間として２４時間未満、或いは２４時間以上であってもよい。
【図面の簡単な説明】
【００３３】
【図１】本発明の一実施形態に用いるミストサウナ機能付き浴室暖房乾燥機の配管図である。
【図２】同上のミストサウナ機能付き浴室暖房乾燥機の側面断面図である。
【図３】同上の暖房機本体の機器ケーシングのグリル板を取り外した状態の斜視図である。
【図４】同上の浴室の天井部にミストサウナ機能付き浴室暖房乾燥機を設置した場合の斜視図である。
【図５】同上の温水戻り温度監視部に関連するブロック図である。
【符号の説明】
【００３４】
１  ミストサウナ機能付き浴室暖房乾燥機
２  暖房機本体
３  ミスト噴霧装置
５  循環ファン
６  温水戻り温度監視部
７  暖房用熱交換器
１０  ミストノズル
１１  ミスト用熱交換器
１３  浴室
１４  熱源機
１９  ミスト加熱用温水管路
２０  ミスト用給水管路
２１  温水戻り温度センサー
２４  逆止弁
【図１】
2008110021.tif 000004
【図２】
2008110021.tif 000005
【図３】
2008110021.tif 000006
【図４】
2008110021.tif 000007
【図５】
2008110021.tif 000008